【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
第一のシートと第二のシートとを有し、前記第一のシートを前記第二のシートから剥離可能な読取対象物を用いた物品の判定を行う情報処理システムであって、
前記第一のシートを前記第二のシートから剥離せずに前記読取対象物を読み取ることで得られた第一の識別情報を取得する第一の取得手段と、
前記第一のシートを前記第二のシートから剥離して前記読取対象物を読み取ることで得られた第二の識別情報を取得する第二の取得手段と、
前記取得された第一の識別情報と第一の判定条件とを用いて、正規の物品に関する判定を行う第一の判定手段と、
前記取得された第二の識別情報と第二の判定条件とを用いて、正規の物品に関する判定を行う第二の判定手段と、
を有することを特徴とする情報処理システム。
【請求項２】
前記第一の判定条件として設定される判定回数は、前記第二の判定条件として設定される判定回数よりも多いことを特徴とする、請求項１に記載の情報処理システム。
【請求項３】
前記第一の判定条件として設定される判定回数の上限はなく、前記第二の判定条件として設定される判定回数は１回であることを特徴とする、請求項１に記載の情報処理システム。
【請求項４】
前記第一の判定手段による判定の結果を示す第一の画面の表示と、前記第二の判定手段による判定の結果を示す第二の画面の表示とを制御する表示制御手段、
を更に有し、
前記第一の画面と前記第二の画面とは互いに異なる画面であることを特徴とする、請求項１乃至３の何れか１項に記載の情報処理システム。
【請求項５】
前記第二の判定手段により前記読取対象物に関する前記物品が正規の物品であると判定された場合に、前記取得された第一の識別情報を記憶部に登録する登録手段、
を更に有することを特徴とする、請求項１乃至４の何れか１項に記載の情報処理システム。
【請求項６】
前記第一の判定手段により前記物品が正規の物品であると判定され、且つ前記取得された第一の識別情報が前記記憶部に登録されている場合に、判定結果として登録済みであることに関する情報を出力する出力手段、
を更に有することを特徴とする、請求項５に記載の情報処理システム。
【請求項７】
前記第一の判定条件及び前記第二の判定条件は、前記読取対象物に関する物品ごとに設定可能であることを特徴とする、請求項１乃至６の何れか１項に記載の情報処理システム。
【請求項８】
前記第一の判定条件及び前記第二の判定条件は、ユーザごとに設定可能であることを特徴とする、請求項１乃至７の何れか１項に記載の情報処理システム。
【請求項９】
第一のシートと第二のシートとを有し、前記第一のシートを前記第二のシートから剥離可能な読取対象物を用いた物品の判定を行う情報処理システムの制御方法であって、
前記第一のシートを前記第二のシートから剥離せずに前記読取対象物を読み取ることで得られた第一の識別情報を取得する第一の取得工程と、
前記第一のシートを前記第二のシートから剥離して前記読取対象物を読み取ることで得られた第二の識別情報を取得する第二の取得工程と、
前記取得された第一の識別情報と第一の判定条件とを用いて、正規の物品に関する判定を行う第一の判定工程と、
前記取得された第二の識別情報と第二の判定条件とを用いて、正規の物品に関する判定を行う第二の判定工程と、
を有することを特徴とする情報処理システムの制御方法。
【請求項１０】
第一のシートと第二のシートとを有し、前記第一のシートを前記第二のシートから剥離可能な読取対象物を用いた物品の判定を行う情報処理装置であって、
前記第一のシートを前記第二のシートから剥離せずに前記読取対象物を読み取ることで得られた第一の識別情報を取得する第一の取得手段と、
前記第一のシートを前記第二のシートから剥離して前記読取対象物を読み取ることで得られた第二の識別情報を取得する第二の取得手段と、
前記取得された第一の識別情報と第一の判定条件とを用いて、正規の物品に関する判定を行う第一の判定手段と、
前記取得された第二の識別情報と第二の判定条件とを用いて、正規の物品に関する判定を行う第二の判定手段と、
を有することを特徴とする情報処理装置。
【請求項１１】
第一のシートと第二のシートとを有し、前記第一のシートを前記第二のシートから剥離可能な読取対象物を用いた物品の判定を行う情報処理装置の制御方法であって、
前記第一のシートを前記第二のシートから剥離せずに前記読取対象物を読み取ることで得られた第一の識別情報を取得する第一の取得工程と、
前記第一のシートを前記第二のシートから剥離して前記読取対象物を読み取ることで得られた第二の識別情報を取得する第二の取得工程と、
前記取得された第一の識別情報と第一の判定条件とを用いて、正規の物品に関する判定を行う第一の判定工程と、
前記取得された第二の識別情報と第二の判定条件とを用いて、正規の物品に関する判定を行う第二の判定工程と、
を有することを特徴とする情報処理装置の制御方法。
【請求項１２】
第一のシートと第二のシートとを有し、前記第一のシートを前記第二のシートから剥離可能な読取対象物を用いた物品の判定を行う情報処理装置のプログラムであって、
前記情報処理装置を、
前記第一のシートを前記第二のシートから剥離せずに前記読取対象物を読み取ることで得られた第一の識別情報を取得する第一の取得手段と、
前記第一のシートを前記第二のシートから剥離して前記読取対象物を読み取ることで得られた第二の識別情報を取得する第二の取得手段と、
前記取得された第一の識別情報と第一の判定条件とを用いて、正規の物品に関する判定を行う第一の判定手段と、
前記取得された第二の識別情報と第二の判定条件とを用いて、正規の物品に関する判定を行う第二の判定手段、
として機能させることを特徴とするプログラム。
【請求項１３】
第一のシートと第二のシートとを有し、前記第一のシートを前記第二のシートから剥離可能な貼付物であって、
前記第一のシートは、第一の判定条件で正規の物品に関する判定を行う場合に用いられる第一の識別情報を含み、
前記第二のシートは、第二の判定条件で正規の物品に関する判定を行う場合に用いられる第二の識別情報を含むことを特徴とする貼付物。
【手続補正２】
【補正対象書類名】明細書
【補正対象項目名】発明の名称
【補正方法】変更
【補正の内容】
【発明の名称】情報処理システム、情報処理装置、その制御方法及びプログラム、貼付物
【手続補正３】
【補正対象書類名】明細書
【補正対象項目名】０００９
【補正方法】変更
【補正の内容】
【０００９】
そこで、本発明の目的は、正規の物品に関する判定の利便性を向上することである。
【手続補正４】
【補正対象書類名】明細書
【補正対象項目名】００１０
【補正方法】変更
【補正の内容】
【００１０】
上記の目的を達成するために、本発明の情報処理システムは以下の構成を有する。すなわち、第一のシートと第二のシートとを有し、前記第一のシートを前記第二のシートから剥離可能な読取対象物を用いた物品の判定を行う情報処理システムであって、前記第一のシートを前記第二のシートから剥離せずに前記読取対象物を読み取ることで得られた第一の識別情報を取得する第一の取得手段と、前記第一のシートを前記第二のシートから剥離して前記読取対象物を読み取ることで得られた第二の識別情報を取得する第二の取得手段と、前記取得された第一の識別情報と第一の判定条件とを用いて、正規の物品に関する判定を行う第一の判定手段と、前記取得された第二の識別情報と第二の判定条件とを用いて、正規の物品に関する判定を行う第二の判定手段と、を有することを特徴とする。
【手続補正５】
【補正対象書類名】明細書
【補正対象項目名】００１１
【補正方法】変更
【補正の内容】
【００１１】
また、上記の目的を達成するために、本発明の貼付物は以下の構成を有する。すなわち、第一のシートと第二のシートとを有し、前記第一のシートを前記第二のシートから剥離可能な貼付物であって、前記第一のシートは、第一の判定条件で正規の物品に関する判定を行う場合に用いられる第一の識別情報を含み、前記第二のシートは、第二の判定条件で正規の物品に関する判定を行う場合に用いられる第二の識別情報を含むことを特徴とする。
【手続補正６】
【補正対象書類名】明細書
【補正対象項目名】００１２
【補正方法】変更
【補正の内容】
【００１２】
本発明によれば、正規の物品に関する判定の利便性を向上することができる。